(57)【特許請求の範囲】
【請求項１】
所定無線通信方式によりＩＣタグに接続され、前記ＩＣタグに記憶された情報を読み出す複数のリーダ／ライタと、
所定無線通信方式により前記複数のリーダ／ライタのいずれかに接続され、情報の書き込みと読み出しを受け、個人情報が記憶されたＩＣタグを有する人体埋込チップと、
前記リーダ／ライタにより読み出された情報を可視化して出力する複数のネットワーク接続された複数のコンピュータ装置と
を具備し、
前記ＩＣタグには、個人情報が多層化されて記憶されており、いずれの層までの個人情報を読み出し可能かリーダ／ライタ毎に設定されているか或いはいずれの層までの個人情報を可視化可能かコンピュータ装置毎に設定されている
ことを特徴とする個人情報取得システム。
【請求項２】
前記ＩＣタグに記憶された情報が暗号化され及び／または情報を読み出し可能なリーダ／ライタが特定されていることを特徴とする請求項１に記載の個人情報取得システム。
【請求項３】
全てのリーダ／ライタが情報読み出し可能であり、このリーダ／ライタに接続された前記人体埋込チップを埋込手術した医療機関のコンピュータ装置が暗号化された情報を復号可能であることを特徴とする請求項２に記載の個人情報取得システム。
【請求項４】
ＩＣタグには、いずれのリーダ／ライタによっても読み出し可能であり、いずれのコンピュータ装置によっても復号可能な初期情報が記憶され、
初期情報と個人情報の読み出しが可能なリーダ／ライタを特定するための識別情報が対応付けて記憶され、初期情報と個人情報の可視化が可能なコンピュータ装置を特定するための識別情報が対応付けて記憶されたデータベースがコンピュータ装置に接続され、
初期情報の復号を行ったコンピュータ装置は、前記データベースにアクセスして、個人情報の読み出しが可能なリーダ／ライタと、個人情報の可視化が可能なコンピュータ装置と、を特定することを特徴とする請求項２に記載の個人情報取得システム。
【請求項５】
ＩＣタグには、個人情報が多層化されて記憶されており、いずれの層までの個人情報を可視化可能かに関するコンピュータ装置毎の情報が前記データベースに記憶されていることを特徴とする請求項４に記載の個人情報取得システム。
【請求項６】
人体埋込チップは、義歯に埋め込まれることを特徴とする請求項１乃至５のいずれか１項に記載の個人情報取得システム。
【発明の詳細な説明】
【技術分野】
【０００１】
この発明は、認知症の徘徊者や意識不明者、更には身元不明の遺体などの身元等を特定する場合に好適な個人情報取得システムに関するものである。
【背景技術】
【０００２】
従来、身元不明者の身元確認には、本人に関する情報が得られる所持品などがないことから、歯形や歯科治療の履歴情報を頼りにすることが通例であるが、多くの労力と時間が必要であり、これらの問題解決が望まれている。
【０００３】
一方、特許文献１には、全ての歯の歯科情報を含めた身体情報を基に検索を行う識別システムであり、最も確からしい結果から確認するものが開示されている。
【０００４】
また、特許文献２には、歯科情報のみを対象として検索を行う識別システムが開示されている。また、特許文献３には、電子タグ内蔵の入歯システムが開示されている。更に、特許文献４には、情報を記憶したＩＤ装置を上顎中切歯または上顎側切歯のいずれかに貼着したものが開示され、特許文献５には、入れ歯の義歯に無線周波数識別タグを備えさせたものが開示されている。
【先行技術文献】
【特許文献】
【０００５】
【特許文献１】特開２００２−９５６５１号公報
【特許文献２】特開２００９−５０６３２号公報
【特許文献３】実用新案登録第３１３９６３５号明細書
【特許文献４】特開２００９−１６９５６８号公報
【特許文献５】特開２０１１−５０６４５号公報
【発明の概要】
【発明が解決しようとする課題】
【０００６】
しかしながら、特許文献１に記載のものは最も確からしい結果を得るものであり、確実性に欠けるという問題がある。また、特許文献２に記載の発明では、歯科情報に限定された発明であり、人手による検索よりも優れているという程度のものである。更に、特許文献３のものは、人の入れ歯と生存者の組み合わせになっており、適用範囲が狭いという欠点がある。
【０００７】
更に、特許文献４に記載の発明は、セキュリティまで考慮された発明であるものの、アンテナで追跡できる範囲に限定されたもので、例えば他県へ移動したような場合には個人情報を得ることができないものとなっている。
【０００８】
更に、特許文献５に記載の発明は、主に入れ歯の置き忘れや取り違えなどの対策として考えられた発明であり、広範囲に不明者等の個人情報を特定するものではない。
【０００９】
本発明は以上のような従来或いは現状における個人情報取得システムの欠点乃至は問題点に鑑みなされたもので、その目的は、認知症の徘徊者や意識不明者、更には身元不明の遺体などの身元等の特定を、その人の生活範囲などの狭いエリアではなく、基本的にはどこにおいても可能な個人情報取得システムを提供することである。
【課題を解決するための手段】
【００１０】
本発明に係る個人情報取得システムは、所定無線通信方式によりＩＣタグに接続され、前記ＩＣタグに記憶された情報を読み出す複数のリーダ／ライタと、所定無線通信方式により前記複数のリーダ／ライタのいずれかに接続され、情報の書き込みと読み出しを受け、個人情報が記憶されたＩＣタグを有する人体埋込チップと、前記リーダ／ライタにより読み出された情報を可視化して出力する複数のネットワーク接続された複数のコンピュータ装置とを具備し、前記ＩＣタグには、個人情報が多層化されて記憶されており、いずれの層までの個人情報を読み出し可能かリーダ／ライタ毎に設定されているか或いはいずれの層までの個人情報を可視化可能かコンピュータ装置毎に設定されていることを特徴とする。
【００１１】
本発明に係る個人情報取得システムでは、前記ＩＣタグに記憶された情報が暗号化され及び／または情報を読み出し可能なリーダ／ライタが特定されていることを特徴とする。
【００１２】
本発明に係る個人情報取得システムでは、全てのリーダ／ライタが情報読み出し可能であり、このリーダ／ライタに接続された前記人体埋込チップを埋込手術した医療機関のコンピュータ装置が暗号化された情報を復号可能であることを特徴とする。
【００１５】
本発明に係る個人情報取得システムでは、ＩＣタグには、いずれのリーダ／ライタによっても読み出し可能であり、いずれのコンピュータ装置によっても復号可能な初期情報が記憶され、初期情報と個人情報の読み出しが可能なリーダ／ライタを特定するための識別情報が対応付けて記憶され、初期情報と個人情報の可視化が可能なコンピュータ装置を特定するための識別情報が対応付けて記憶されたデータベースがコンピュータ装置に接続され、初期情報の復号を行ったコンピュータ装置は、前記データベースにアクセスして、個人情報の読み出しが可能なリーダ／ライタと、個人情報の可視化が可能なコンピュータ装置と、を特定することを特徴とする。
【００１６】
本発明に係る個人情報取得システムでは、ＩＣタグには、個人情報が多層化されて記憶されており、いずれの層までの個人情報を可視化可能かに関するコンピュータ装置毎の情報が前記データベースに記憶されていることを特徴とする。
【００１７】
本発明に係る個人情報取得システムでは、人体埋込チップは、義歯に埋め込まれることを特徴とする。
【発明の効果】
【００１８】
本発明によれば、ＩＣタグに記憶された情報を読み出す複数のリーダ／ライタと、リーダ／ライタにより読み出された情報を可視化して出力する複数のネットワーク接続された複数のコンピュータ装置とを具備しているので、上記リーダ／ライタとコンピュータ装置とを、全国に配置し、認知症の徘徊者や意識不明者、更には身元不明の遺体などの身元等の特定を、その人の生活範囲などの狭いエリアではなく、基本的にはどこにおいても特定可能となる。
【図面の簡単な説明】
【００１９】
【図１】本発明に係る個人情報取得システムの実施形態の構成図。
【図２】本発明に係る個人情報取得システムの実施形態において用いる人体埋込チップの概略図。
【図３】本発明に係る個人情報取得システムの実施形態において用いるＩＣタグの構成図。
【図４】本発明に係る個人情報取得システムの実施形態において用いるＩＣタグ内の情報の一例を示す図。
【図５】本発明に係る個人情報取得システムの実施形態において用いるコンピュータ端末のブロック図。
【図６】本発明に係る個人情報取得システムの実施形態において用いるＩＣタグ内の階層分けされた情報の一例を示す図。
【図７】本発明に係る個人情報取得システムの実施形態において用いるデータベース内の情報の一例を示す図。
【発明を実施するための形態】
【００２０】
以下添付図面を参照して、本発明の個人情報取得システムの実施形態を説明する。各図において同一の構成要素には同一の符号を付して重複する説明を省略する。個人情報取得システムでは、人体埋込チップ２０を用いる。図２に示すように、人体埋込チップ２０は、図２（ａ）に示すように、ＩＣタグ４０が義歯３０に埋設され、図２（ｂ）に示すように一体化されたものである。義歯３０とされた人体埋込チップ２０は、人１０の口腔に埋設されている。
【００２１】
人体埋込チップ２０のＩＣタグ４０は、所定無線通信方式により複数のリーダ／ライタ５０のいずれかに接続され、情報の書き込みと読み出しを受け、個人情報が記憶されたものである。本発明において、所定無線通信方式としては、記憶されている個人情報を盗み見られないようにするというセキュリティの観点から、TransferJet（登録商標）、ＮＦＣ、Bluetooth（登録商標）、ＵＷＢ、Ｗｉ−Ｆｉ（登録商標）、などの近距離無線通信方式が好適であるが、中でも通信距離が数ｃｍのTransferJetが最も好適である。ＩＣタグ４０は、図３に示されるように、制御部（ＣＰＵ）４１、ＲＡＭやＲＯＭなどから構成されるメモリ部４２、通信部４３、電源部４４、アンテナ４５を備える。メモリ部４２に個人情報が記憶される。個人情報が記憶されたメモリ部４２の記憶内容の一例を図４に示す。ＩＣタグ４０の電力供給についは、電池を内蔵しているアクティブタイプ、電波をエネルギー源とするパッシブタイプ、上記２タイプの両方の電力供給機能を有するセミアクティブタイプがあるが、いずれも用いることができる。従って、図３では電源部４４と記載してあるが、「電源部または電圧リミット回路」を意味する。
【００２２】
複数のリーダ／ライタ５０は、所定無線通信方式により人体埋込チップ２０のＩＣタグ４０に接続して、義歯３０をセットする人１０の個人情報を送り、ＩＣタグ４０への情報記憶を行う。また、複数のリーダ／ライタ５０は、所定無線通信方式により人体埋込チップ２０のＩＣタグ４０に接続して、記憶されている個人情報を読み出す。
【００２３】
複数のリーダ／ライタ５０には、それぞれ１台のコンピュータ装置であるコンピュータ端末６０が接続されている。コンピュータ端末６０は、図５に示されるように、ＣＰＵ６１が主メモリ６２内のプログラムやデータに基づき各部を制御する構成である。ＣＰＵ６１には、記憶制御部６３、入力制御部６４、表示制御部６５、Ｉ／Ｏポート６６、通信インタフェース６７が接続されている。記憶制御部６３にはプログラム等が記憶された外部記憶部６８が接続され、入力制御部６４にはキーボードやマウスなどの入力部６４Ａが接続され、表示制御部６５にはＬＥＤなどにより構成される表示部６５Ａが接続されている。また、Ｉ／Ｏポート６６にはリーダ／ライタ５０が接続され、通信インタフェース６７にはネットワーク７０が接続されている。ネットワーク７０は、２以上のコンピュータ端末６０がメール機能などにより接続可能な環境を意味する。
【００２４】
第１の実施形態では、セキュリティ上の観点から、ＩＣタグ４０に記憶された情報が暗号化されている。従って、全てのリーダ／ライタ５０により情報の読み出しができても、上記暗号化に対応する復号のための暗号鍵や復号用のプログラムを備えないコンピュータ端末６０は、復号を行うことができない。
【００２５】
復号を行うことができない場合には、ネットワーク７０を介して電子メールなどで全てのコンピュータ端末６０へ復号が可能なコンピュータ端末６０を問い合わせて探すか、ネットワーク７０を介して電子メールなどで全てのコンピュータ端末６０へ呼びかけて暗号鍵をネットワーク７０を介して入手する。このために、ＩＣタグ４０に暗号化していないコードなどの情報を記憶しておき、これをリーダ／ライタ５０により読み出し、コンピュータ端末６０において表示するなどし、これを用いて、復号が可能なコンピュータ端末６０を探すか、暗号鍵をネットワーク７０を介して入手する。これにより最終的に個人情報を得ることができる。
【００２６】
第２の実施形態では、情報読み出し可能なリーダ／ライタ５０が特定されている。つまり、特定のリーダ／ライタ５０のみで読み出しが可能とした設定を行う。これは、例えば所定の通信方式（例えばTransferJet）を用いた場合に設定でき、システムを使用する者が、ＡＡ警察署のリーダ／ライタ５０で読み出し可能と知っているものとする。これによれば、特定の場所において人の個人情報を得ることができる。
【００２７】
第３の実施形態では、全てのリーダ／ライタ５０が情報読み出し可能であり、このリーダ／ライタ５０に接続された人体埋込チップ２０を埋込手術した医療機関のコンピュータ装置が暗号化された情報を復号可能である。この実施形態では、あるリーダ／ライタ５０が情報読み出しした個人情報を、埋込手術を行う医療機関のコンピュータ端末６０を含む全コンピュータ端末６０へネットワーク７０を介して送信し、復号して返送してもらうようにする。復号できない場合は返送できない。これにより最終的に個人情報を得ることができる。
【００２８】
第４の実施形態では、ＩＣタグ４０には、個人情報が多層化されて記憶されており、いずれの層までの個人情報を読み出し可能かリーダ／ライタ５０毎に設定されている。例えば、図６に示すように、個人情報がランクＲ１からランクＲ３までに階層化されており、各リーダ／ライタ５０の設置場所に、全ての設置場所のリーダ／ライタ５０がいずれのランクまで読み出し可能かを記載したシステム案内冊子が配備されている。個人情報のどのランクまでが必要かに合わせて、該当の設置場所へ赴き、個人情報を得ることができる。
【００２９】
第５の実施形態では、ＩＣタグ４０には、個人情報が多層化されて記憶されており、いずれの層までの個人情報を可視化可能かコンピュータ装置であるコンピュータ端末６０毎に設定されている。第４の実施形態と同様に、例えば、個人情報がランクＲ１からランクＲ３までに階層化されて暗号鍵が異なるなどの暗号化がなされており、各コンピュータ端末６０の設置場所に、全ての設置場所のコンピュータ端末６０がいずれのランクまで可視化可能か（復号可能か）を記載したシステム案内冊子が配備されている。この場合も所望の設置場所へ赴き、個人情報を得ることができる。
【００３０】
第６の実施形態では、ＩＣタグ４０には、いずれのリーダ／ライタ５０によっても読み出し可能であり、いずれのコンピュータ装置であるコンピュータ端末６０によっても復号可能な初期情報が記憶されている。初期情報は数字列や文字列などである。
【００３１】
上記初期情報と個人情報の読み出しが可能なリーダ／ライタ５０を特定するための識別情報が対応付けて記憶され、初期情報と個人情報の可視化が可能なコンピュータ装置であるコンピュータ端末６０を特定するための識別情報が対応付けて記憶されたデータベース８０がコンピュータ装置であるコンピュータ端末６０に接続されている。識別情報は、設置場所とリーダライタ名称或いはコンピュータ名称とすることができる。具体的には、図７に示すようなテーブルを有するデータベース８０が、図１のネットワーク７０に接続さている。
【００３２】
初期情報の復号を行ったコンピュータ装置であるコンピュータ端末６０は、上記データベース８０にネットワーク７０を介してアクセスして、個人情報の読み出しが可能なリーダ／ライタ５０と、個人情報の可視化が可能なコンピュータ装置であるコンピュータ端末６０と、を特定する。これらの揃った設置場所に人を連れて行き、或いは搬送し、個人情報を得ることができる。この第６の実施形態において、ＩＣタグ４０には、個人情報が多層化されて記憶されており、各コンピュータ端末６０がいずれの層までの個人情報を可視化可能か或いは、各リーダ／ライタ５０がいずれの層までの個人情報を読み出し可能かについての情報が上記初期情報に対応付けられてデータベース８０に記憶されていても良い。これにより、個人情報の必要な範囲を所要の場所に赴き、得ることができる。また、コンピュータ端末の識別情報をメールアドレスとして、データベース８０からメールアドレスを得て、これを用いて暗号化された個人情報をコンピュータ端末６０へ送って復号して返送してもらうようにしても良い。
【符号の説明】
【００３３】
１０  人
２０  人体埋込チップ
３０  義歯
４０  ＩＣタグ
４１  制御部
４２  メモリ部
４３  通信部
４４  電源部
４５  アンテナ
５０  リーダ／ライタ
６０  コンピュータ端末
６１  ＣＰＵ
６２  主メモリ
６３  記憶制御部
６４  入力制御部
６４Ａ  入力部
６５  表示制御部
６５Ａ  表示部
６６  Ｉ／Ｏポート
６７  通信インタフェース
６８  外部記憶部
７０  ネットワーク
８０  データベース
【図１】
0006651400.tif 000002
【図２】
0006651400.tif 000003
【図３】
0006651400.tif 000004
【図４】
0006651400.tif 000005
【図５】
0006651400.tif 000006
【図６】
0006651400.tif 000007
【図７】
0006651400.tif 000008